(57)【要約】【課題】簡単な構造であると共に、装着が容易であり、確実に施錠を検出することができる施錠確認装置を提供する。【解決手段】開口部周縁を形成する固定枠体と、該固定枠体に対して開閉自在である閉塞部材とからなり、前記閉塞部材又は前記固定枠体の一方に設けられる受け孔と、前記閉塞部材又は前記固定枠体の他方に設けられ、前記受け孔に対して出没可能な閂体を具備する錠機構とを具備する構造物において、前記受け孔に装着されると共に、前記閂体の出入を検出する検出手段を具備することにある。前記検出手段は、前記受け孔の没入した閂体を挟持するように配置される一対の電極を具備し、前記閂体が前記１対の電極間に移動することによるインピーダンスの変化により、前記錠機構の状態を検出することが望ましい。また、前記検出スイッチは、前記受け孔の一方の側面に設けられる発光素子と、受光素子とからなることが望ましい。【選択図】    図１
2004244820.tif 000002
【特許請求の範囲】
【請求項１】
開口部周縁を形成する固定枠体と、該固定枠体に対して開閉自在である閉塞部材とからなり、前記閉塞部材又は前記固定枠体の一方に設けられる受け孔と、前記閉塞部材又は前記固定枠体の他方に設けられ、前記受け孔に対して出没可能な閂体を具備する錠機構とを具備する構造物において、
前記受け孔に装着されると共に、前記閂体の出入を検出する検出手段を具備することを特徴とする施錠確認装置。
【請求項２】
前記検出手段は、前記受け孔の没入した閂体を挟持するように配置される一対の電極を具備し、前記閂体が前記１対の電極間に移動することによるインピーダンスの変化により、前記錠機構の状態を検出することを特徴とする請求項１記載の施錠確認装置。
【請求項３】
前記検出手段は、前記受け孔の一方の側面に設けられる発光素子と、該発光素子が設けられる側面と対峙する側面に設けられる受光素子からなり、前記閂体によって前記発光素子からの光の通過／遮断を検出することによって、前記錠機構の状態を検出することを特徴とする請求項１記載の施錠確認装置。
【請求項４】
前記検出手段は、前記受け孔の一方の側面に設けられる発光素子と、この発光素子の併設される受光素子からなり、前記閂体による前記発光素子からの光の反射を前記受光素子によって検出することによって、前記錠機構の状態を検出することを特徴とする請求項１記載の施錠確認装置。
【請求項５】
施錠の状態を表示する表示手段を具備することを特徴とする請求項１〜４のいずれか一つに記載の施錠確認装置。
【請求項６】
施錠確認を所望する場所に、施錠の状態を通報する通信手段を具備することを特徴とする請求項１〜５のいずれか一つに記載の施錠確認装置。
【発明の詳細な説明】
【０００１】
【発明が属する技術分野】
この発明は、開口部周縁を形成する固定枠体と、該固定枠体に対して開閉自在である閉塞部材とからなる扉、窓等の構成物において、前記閉塞部材又は前記固定枠体の一方に設けられる受け孔と、前記閉塞部材又は前記固定枠体の他方に設けられ、前記受け孔に対して出没可能な閂体を具備する錠機構を有するものに関する。
【０００２】
【従来の技術】
特許文献１に開示される施錠装置は、金庫の扉を解施錠するための閂杵を有するシリンダ錠と、このシリンダ錠の複数のピン体のうち少なくとも１つのピン体の摺動を検知するピン体スイッチと、閂杵の解錠位置を検知する閂杵スイッチと、前記スイッチの検出信号に基づいてブザーを制御するコントローラとを備え、前記コントローラが、ピン体スイッチの検出信号が入力された後、閂杵スイッチの検出信号が所定時間内に入力されない場合、ブザーが警告音を発するように制御するものである。
【０００３】
特許文献２に開示されるドア開錠警報装置は、ドアノブに装嵌する警報装置ケースに、サムターンと契合する溝付ロータを内臓すると共に、このロータの回転角を、ドアノブの回転角或いはドア固定部と比較して角度差を検知するスイッチを設け、検知スイッチが設定値以上の角度差を検知すると警報を発する回路及びアラームをケース内に組み込むものである。
【０００４】
【特許文献１】
特開２００２−１９４９３５号公報
【特許文献２】
特開２００２−３２７５６１号公報
【０００５】
【発明が解決しようとする課題】
以上のように、従来の施錠装置に使用されるスイッチ部分は、ドア側に設けられる施錠装置に設けられるか、ドアと固定枠の間に設けられるのが普通である。
【０００６】
このため、上記引例に開示されるように、施錠装置自体にスイッチ部分が設けられる場合には、施錠装置自体の構造が複雑になるという問題点を有し、ドアと固定枠の間に設けられる場合には、ドアの開閉自体は検出可能であるものの施錠されているか否かを検出することができなかった。
【０００７】
よって、この発明は、簡単な構造であると共に、装着が容易であり、確実に施錠を検出することができる施錠確認装置を提供することにある。
【０００８】
【課題を解決するための手段】
したがって、この発明の施錠確認装置は、開口部周縁を形成する固定枠体と、該固定枠体に対して開閉自在である閉塞部材とからなり、前記閉塞部材又は前記固定枠体の一方に設けられる受け孔と、前記閉塞部材又は前記固定枠体の他方に設けられ、前記受け孔に対して出没可能な閂体を具備する錠機構とを具備する構造物において、前記受け孔に装着されると共に、前記閂体の出入を検出する検出手段を具備することにある。
【０００９】
また、前記検出手段は、前記受け孔の没入した閂体を挟持するように配置される一対の電極を具備し、前記閂体が前記１対の電極間に移動することによるインピーダンスの変化により、前記錠機構の状態を検出することが望ましい。さらに、前記検出スイッチは、前記受け孔の一方の側面に設けられる発光素子と、該発光素子が設けられる側面と対峙する側面に設けられる受光素子からなり、前記閂体によって前記発光素子からの光の通過／遮断を検出することによって、前記錠機構の状態を検出することが望ましい。さらにまた、前記検出手段は、前記受け孔の一方の側面に設けられる発光素子と、この発光素子の併設される受光素子からなり、前記閂体による前記発光素子からの光の反射を前記受光素子によって検出することによって、前記錠機構の状態を検出することが望ましい。
【００１０】
さらに、本願発明に係る施錠確認装置は、施錠の状態を表示する表示手段を具備することが望ましい。また、施錠確認を所望する場所に、施錠の状態を通報する通信手段を具備することが望ましい。これによって、施錠確認を所望する場所、例えば警報装置やセキュリティーシステム等への施錠の状態を通報することが可能となる。さらに、これによって、施錠することによって、警報装置や、セキュリティーシステムのスイッチを入れることができるようになり、また開錠することによって、警報装置やセキュリティーシステムのスイッチをオフにすることができるものである。さらに、施錠及び開錠に同期して所定の機器のオンオフを可能とすることも可能となるものである。
【００１１】
以下、この発明の実施の形態について図面により説明する。
【００１２】
本願発明に係る施錠確認装置１は、図１で示すように、窓や出入口等の開口部周縁を形成する固定枠体２と、この固定枠体２に対して開閉自在である扉、ドア等の閉塞部材３とからなり、前記固定枠体２又は前記閉塞部材３の一方に設けられる受け孔４と、前記固定枠体２又は前記閉塞部材３の他方に設けられ、前記受け孔４に対して出没可能な閂体５とによって構成される錠機構とを具備する構造物Ａに設けられるものである。尚、前記錠機構とは、前記受け孔４に対して鍵等によって前記閂体５を出没させる公知のものであり、通常、受け孔４は、固定枠体２に、開口部が長方形となるように穿設されたもので、前記閂体５の体積よりも大きめな容積に形成されるものである。
【００１３】
本願発明の第１の実施の形態に係る施錠確認装置１は、例えば、図２（ａ），（ｂ）に示すように、フィルム状本体部１Ａ〜１Ｈと、このフィルム状本体部１Ａ〜１Ｈの所定の位置、例えば前記閂体５が没入した場合にこの閂体５を挟むように位置する左右側面部１Ａ，１Ｂに配される１対の検出センサ部１１，１２と、前記検出センサ部１１，１２から延出する配線１３，１４と、この配線１３，１４の先端部分を構成する接触端子１５，１６と、この接触端子１５，１６を介して前記検出センサ部１３，１４と接続され、施錠の状態を検出・表示・通信を行う制御ユニット６とによって少なくとも構成される。尚、前記フィルム本体部１Ａ〜１Ｈにおいて、１Ｈは先端フランジ部、１Ａは左側面部、１Ｃは奥側面部、１Ｂは右側面図部、１Ｄは橋架部、１Ｅは接続部、１Ｆ，１Ｇは端子部を示すものである。
【００１４】
前記制御ユニット６は、例えば図３に示すように、前記検出センサ部１１，１２に接続されるＡ／Ｄ変換器６１と、このＡ／Ｄ変換器６１からの信号を所定のプログラムに従って判定し、表示手段としての施錠ランプ６５を発光させ、また通信部６６及びアンテナ６７を介して、警報装置のメイン装置、セキュリティーシステム、警備会社等へ施錠状態を発信するコントロールユニット（Ｃ／Ｕ）６２と、電源ユニット（Ｐ／Ｕ）６３と、電源スイッチ６４とによって少なくとも構成されるものである。
【００１５】
図３で示す第１の実施の形態において、検出センサ部１１，１２は、所定の電位が印加される１対のプレート型の電極である。この電極１１，１２の間に、閂体５が没入する場合のインピーダンスの変動によって、Ｃ／Ｕ６２において施錠を確認し、施錠ランプ６５を発光させ又は施錠を示す色に変光させ、施錠されたことを表示する。また、通信部６６及びアンテナ６７を介して施錠されたことを所定の場所に発信するものである。
【００１６】
また、閂体５が電極１１，１２間から離脱した場合のインピーダンスの変動によって開錠が確認され、施錠ランプ６５を消灯又は開錠を示す色に変光させ、開錠をされたことを表示するものである。また、通信部６６及びアンテナ６７を介して開錠されたことを所定の場所に発信するものである。
【００１７】
図４で示す第２の実施の形態では、検出センサ部１１，１２は、発光ダイオード等の発光素子１１Ａと、この発光素子１１Ａと対峙する側面に配された受光素子１２Ａとによって構成され、閂体５によって受光素子１２Ａからの信号が、受光している状態から受光しない状態に変化したことを検出することによって、施錠を確認することができる。また、受光しない状態から受光する状態に変化したことを検出することによって開錠を確認することができるものである。これによって、上述した第１の実施の形態と同様の表示若しくは発信を行うことによって同様の効果を奏することができるものである。
【００１８】
図５で示す第３の実施の形態において、発光素子１１Ｂと受光素子１２Ｂとは、同一の側面に配される。これによって、閂体５が移動することによって発光素子１１Ｂから発せられる光が閂体５に反射して受光素子１２Ｂに受光された場合、施錠を確認し、反対に、受光された状態から閂体５による反射が消滅した場合に、開錠を確認することができるものである。
【００１９】
この第３の実施の形態においては、図６及び図７で示すように、発光素子１１Ｂ及び受光素子１２Ｂが一側面部、この場合は右側面部１２Ｂのみに配される構成となることから、左側面部１Ａ’を小さく構成でき、また先端フランジ部１Ｈを省略して形成できる。
【００２０】
図８で示す第４の実施の形態においては、右側面部１Ｂ”の上下端部から受け孔４の上側面及び下側面に延出する上側面部１Ｉ及び下側面部１Ｊとを設け、それぞれに、発光素子１１Ａ及び受光素子１２Ａを設けたことを特徴とする。これによっても、第１の実施の形態と同様の効果を奏することができるものである。
【００２１】
また、前記閂体５が鉄等の導電性物質で形成されている場合には、検出センサ部を構成する１対の電極１１，１２に所定の膨らみをもたせ、閂体５が施錠された状態で両電極１１，１２が導通状態となり、開錠状態で絶縁状態となることから、施錠及び開錠を検出するようにしても良いものである。
【００２２】
【発明の効果】
以上説明したように、この発明によれば、錠機構の閂体が出没する受け孔に検出センサ部を装着するだけで、施錠／開錠状態を検出することができると共に、施錠のオンオフに同期して、装置のオンオフを行うこともできるため、現状のドア、窓等において、閂体と受け孔とによって構成される錠機構が設けられている構成物に、容易に取付けられるものである。
【００２３】
また、特別な構造によらず、通常のドア等を、セキュリティーシステム、警報装置と連動させることができるため、家屋のセキュリティーを向上させることができる。
【図面の簡単な説明】
【図１】本願発明の施錠確認装置の装着状態を示した説明図である。
【図２】（ａ），（ｂ）は、第１の実施の形態に係る施錠確認装置のフィルム状本体部の構成を示した斜視図である。
【図３】本願発明の施錠確認装置の構成を示した説明図である。
【図４】第２の実施の形態に係る検出センサ部の構成を示した説明図である。
【図５】第３の実施の形態に係る検出センサ部の構成を示した説明図である。
【図６】第３の実施の形態に係る施錠確認装置のフィルム状本体部の構成を示した斜視図である。
【図７】第３の実施の形態の施錠確認装置のフィルム状本体部の別の構成を示した斜視図である。
【図８】第４の実施の形態に係る施錠確認装置のフィルム状本体部の構成を示した斜視図である。
【符号の説明】
１  施錠確認装置
２  固定枠体
３  閉塞部材３
４  受け孔
５  閂体
６  制御ユニット
１１，１２  検出センサ部
１３，１４  配線
１５，１６接触端子
Ａ  構造物
【図１】
2004244820.tif 000003
【図２】
2004244820.tif 000004
【図３】
2004244820.tif 000005
【図４】
2004244820.tif 000006
【図５】
2004244820.tif 000007
【図６】
2004244820.tif 000008
【図７】
2004244820.tif 000009
【図８】
2004244820.tif 000010